(57)【要約】【課題】  本発明は、稼動に伴って発熱する発熱部品と、気流を生じさせてその発熱部品を空冷するファンとを備えた機器、ファンの冷却機能を監視する冷却機能監視装置、およびそのような機器内で実行されて、その機器にファンの劣化をモニタリングする機能を付与するファン劣化モニタリングプログラムに関し、ファンの気流発生能力（空冷能力）の劣化を正確に検出することを目的とする。【解決手段】  ファンが正常状態にあるときの金属部品の稼働率と温度との関係をあらかじめ記憶しておいて、稼動時には、発熱部品の温度および基準点の温度を実測して発熱部品の温度を指定し、実測した発熱部品の温度が推定温度よりも所定の閾値温度以上高温であったときに冷却能力劣化状態にあると判定する。【選択図】        図７
2007249719.tif 000002
【特許請求の範囲】
【請求項１】
稼動に伴って発熱する発熱部品と、気流を生じさせて該発熱部品を空冷するファンとを備えた機器において、
前記ファンが正常状態にあるときの、前記発熱部品の稼働率と該発熱部品の温度との関係を記憶しておく記憶部と、
前記発熱部品の温度と該発熱部品から離れた基準点の温度とを測定する温度センサと、
前記記憶部に記憶された前記関係と前記基準点の実測温度とに基づいて、前記発熱部品の現在の稼働率に対応する該発熱部品の推定温度を求める温度推定部と、
前記温度センサで測定した前記発熱部品の実測温度と前記温度推定部で求められた推定温度とに基づき冷却能力劣化状態にあるか否かを判定する判定部と、
前記判定部での前記冷却能力劣化状態にある旨の判定を受けてユーザに向けて警告する警告部とを備えたことを特徴とする機器。
【請求項２】
前記判定部は、前記温度センサで測定した前記発熱部品の実測温度が前記温度推定部で求められた推定温度よりも所定の閾値温度以上高温である場合に冷却能力劣化状態と判定することを特徴とする請求項１記載の機器。
【請求項３】
前記記憶部が、所定の環境温度下における、前記発熱部品の稼働率と該発熱部品の温度との関係を記憶しておくものであり、
前記温度推定部が、前記記憶部に記憶された関係を前記温度センサで測定された前記基準点の実測温度に基づいて補正し、補正後の関係に基づいて、前記発熱部品の現在の稼働率に対する該発熱部品の推定温度を求めるものであることを特徴とする請求項１記載の機器。
【請求項４】
この機器が、プログラムを実行するＣＰＵが内蔵されたコンピュータであって、該ＣＰＵを前記発熱部品とするものであることを特徴とする請求項１記載の機器。
【請求項５】
画像を表示する表示画面を備え、
前記警告部は、前記表示画面上に警告を表わす画像を表示するものであることを特徴とする請求項１記載の機器。
【請求項６】
稼動に伴って発熱する発熱部品と、気流を生じさせて該発熱部品を空冷するファンとを備えた機器に用いられる冷却機能監視装置において、
記憶部に記憶された、前記ファンが正常状態にあるときの、前記発熱部品の稼働率と該発熱部品の温度との関係を用い、
前記記憶部に記憶された前記関係と前記発熱部品から離れた基準点の実測温度とに基づいて、前記発熱部品の現在の稼働率に対応する該発熱部品の推定温度を求める温度推定部と、
前記発熱部品の実測温度と前記温度推定部で求められた推定温度とに基づき冷却能力劣化状態にあるか否かを判定する判定部と、
前記判定部での判定結果を出力する出力部と、
を備えたことを特徴とする冷却機能監視装置。
【請求項７】
稼動に伴って発熱する発熱部品と、気流を生じさせて該発熱部品を空冷するファンとを備えた、プログラムを実行する機器内で実行され、該機器を、
記憶部に記憶された、前記ファンが正常状態にあるときの、前記発熱部品の稼働率と該発熱部品の温度との関係を用い、
前記記憶部に記憶された前記関係と前記発熱部品から離れた基準点の実測温度とに基づいて、前記発熱部品の現在の稼働率に対応する該発熱部品の推定温度を求める温度推定部と、
前記発熱部品の実測温度と前記温度推定部で求められた推定温度とに基づき冷却能力劣化状態にあるか否かを判定する判定部と、
前記判定部での前記冷却能力劣化状態にある旨の判定を受けてユーザに向けて警告する警告部とを備えた機器として動作させることを特徴とするファン劣化モニタリングプログラム。
【請求項８】
前記判定部は、前記温度センサで測定した実測温度が前記温度推定部で求められた推定温度よりも所定の閾値温度以上高温である場合に冷却能力劣化状態と判定することを特徴とする請求項７記載のファン劣化モニタリングプログラム。
【請求項９】
前記記憶部が、所定の環境温度下における、前記発熱部品の稼働率と該発熱部品の温度との関係を記憶しておくものであり、
前記温度推定部が、前記記憶部に記憶された関係を前記温度センサで測定された前記基準点の実測温度に基づいて補正し、補正後の関係に基づいて、前記発熱部品の現在の稼働率に対する該発熱部品の推定温度を求めるものであることを特徴とする請求項７記載のファン劣化モニタリングプログラム。
【請求項１０】
稼動に伴って発熱する発熱部品と、気流を生じさせて該発熱部品を空冷するファンとを備えた、プログラムを実行する機器内で実行され、該機器を、
記憶部に記憶された、前記ファンが正常状態にあるときの、前記発熱部品の稼働率と該発熱部品の温度との関係を用い、
前記記憶部に記憶された前記関係と前記発熱部品から離れた基準点の実測温度とに基づいて、前記発熱部品の現在の稼働率に対応する該発熱部品の推定温度を求める温度推定部と、
前記発熱部品の実測温度と前記温度推定部で求められた推定温度とに基づき冷却能力劣化状態にあるか否かを判定する判定部と、
前記判定部での判定結果を出力する出力部と、
を備えた冷却機能監視装置として動作させることを特徴とするファン劣化モニタリングプログラム。
【発明の詳細な説明】
【技術分野】
【０００１】
本発明は、稼動に伴って発熱する発熱部品と、気流を生じさせてその発熱部品を空冷するファンとを備えた機器、ファンの冷却機能を監視する冷却機能監視装置、およびそのような機器内で実行されて、その機器にファンの劣化をモニタリングする機能を付与するファン劣化モニタリングプログラムに関する。
【背景技術】
【０００２】
従来より、稼動に伴って発熱する発熱部品を機器内に搭載する必要がある場合に、その発熱部品の、機器内での配置場所を工夫したり、配置場所の工夫のみでは足りない場合にファンを搭載してその発熱部品のまわりに気流を生じさせてその発熱部品を空冷することが行われている。
【０００３】
例えば、パーソナルコンピュータでは、ＣＰＵの回路が構成されたＬＳＩの発熱が大きく、また、このＬＳＩは動作保証の上限温度が例えば９５℃程度であってあまり高くないため、そのＬＳＩに冷却用の放熱フィンを取り付け、ファンで気流を生じさせてそのＬＳＩを空冷するということが行われている。
【０００４】
図１は、ＣＰＵの温度とファンの回転数との関係を示した図である。
【０００５】
ここでは一例として、ＣＰＵの温度が４５℃以下のときはファンは停止しており、８５℃以上になるとそのファンがその能力一杯（１００％）でフル回転する。ここでは、ＣＰＵの動作保証温度は９５℃としている。
【０００６】
ファンも電力を消費するため、またファンは回転させることによって寿命に近づくため、できるだけは回転を抑え、空冷の必要に応じて必要な回転数だけ回転して必要なだけの気流を生じさせるようになっている。
【０００７】
ここで問題となるのは、機器が新品のときは十分に空冷できていたのに、使っているうちに、ファンは回転しているのに十分な空冷が得られなくなるという現象である。この現象が生じる原因の１つとして、その機器を使ってる間にファンのまわりに塵埃が付着しファンが設定された回転数で回転していても十分な気流が発生せずに十分な空冷が得られないという点が挙げられる。
【０００８】
ＣＰＵの場合、動作保証温度以上に温度が上昇するのを避けるため、温度が動作保証温度を超えそうになると、ＣＰＵが短い周期で定期的に停止するというスロットリングが行われる。
【０００９】
図２は、ＣＰＵのスロットリングを表わした図である。
【００１０】
温度が上昇し過ぎると、ＣＰＵに向けて短い周期でストップ信号が出され、ＣＰＵはそのストップ信号を受けているオフ期間は動作を停止しオフ期間とオフ期間との間のオン期間のみ、動作する。このようなスロットリングが行われると、ＣＰＵの温度上昇が抑えられるが、ＣＰＵの処理速度が低下する。
【００１１】
ファンのまわりに塵埃が付着して十分な空冷が得られず、その結果、上記のスロットリングが行なわれると、ファンは回転していることからそこに原因があるとは気付かずにＣＰＵの処理速度が低下するという現象が生じることになる。また、温度がさらに上昇するとＣＰＵが停止するが、ファンに問題があることには気付かずにもっと大きな故障と思い込んで買い換えや修理依頼を強いることにもなりかねない。
【００１２】
従来より、ファン劣化を判定する様々な手続が提案されている。
【００１３】
例えば特許文献１には、周囲温度を測定しその周囲温度に基づいてファンの劣化を判定することが提案されている。
【００１４】
また、特許文献２には、ファンの回転数が低下してきたことをもってファンが劣化したものと見なすことが提案されている。
【００１５】
さらに、特許文献３にはモータの運転状況を記憶しておいて、故障解析を容易にすることが提案されている。
【特許文献１】特開平３−２０３３９５号公報
【特許文献２】特開２００４−２７９８７号公報
【特許文献３】特開２００２−５８２８０号公報
【発明の開示】
【発明が解決しようとする課題】
【００１６】
ＣＰＵ等の発熱部品の稼動時の温度上昇は、ファンの劣化によっても生じるが、それのみでなく、その発熱部品を搭載した機器のその時の環境温度によっても影響を受ける。例えば、周囲温度が４０℃になったらファンの劣化と見なす場合に、環境温度が２５℃のときは１５℃の余裕があり、近くの発熱部品の影響で周囲温度が３５℃にまで上昇してもファンの劣化とは検出されないが、環境温度が３５℃のときは発熱部品の影響で周囲温度が４５℃近くに上昇してしまい正常ではあるにもかかわらずファンの劣化と判定されてしまうおそれがある。
【００１７】
したがって、周囲温度を測定してファンの劣化を検出するという特許文献１の提案ではファンの劣化を正確に検出することはできない。
【００１８】
また、特許文献２は、ファンの回転数によってファンの劣化を検出する提案であるが、この提案を採用してファンの劣化が検出できるのは、ファンの回転数が常に一定の場合に限られ、また、ファンの周りに塵埃が付着して冷却能力が低下していてもファンの回転数さえ正常であればファンの劣化（気流発生能力の劣化）を検出することができない。
【００１９】
また、特許文献３は、その機器に故障が発生したときにファンの回転の履歴を調べて故障解析を容易にするものであり、ファンの劣化の検出とは無関係である。
【００２０】
本発明は、上記事情に鑑み、ファンの気流発生能力（空冷能力）の劣化を正確に検出する能力を備えた機器、ファンの冷却機能の劣化を正確に検出する能力を備えた冷却機能監視装置、および機器にそのような能力を付与するファン劣化モニタリングプログラムを提供することを目的とする。
【課題を解決するための手段】
【００２１】
上記目的を達成する本発明の機器は、稼動に伴って発熱する発熱部品と、気流を生じさせて発熱部品を空冷するファンとを備えた機器において、
上記ファンが正常状態にあるときの、発熱部品の稼働率と発熱部品の温度との関係を記憶しておく記憶部と、
発熱部品の温度と発熱部品から離れた基準点の温度とを測定する温度センサと、
上記記憶部に記憶された関係と基準点の実測温度とに基づいて、発熱部品の現在の稼働率に対応する発熱部品の推定温度を求める温度推定部と、
上記温度センサで測定した前記発熱部品の実測温度と温度推定部で求められた推定温度とに基づき冷却能力劣化状態にあるか否かを判定する判定部と、
上記判定部での冷却能力劣化状態にある旨の判定を受けてユーザに向けて警告する警告部とを備えたことを特徴とする。
【００２２】
本発明の機器は、ファンが正常状態にあるときの発熱部品の稼働率と温度との関係をあらかじめ記憶しておいて、稼動時には、発熱部品の温度および基準点の温度を実測して発熱部品の温度を推定し、実測した発熱部品の温度と推定温度に基づき冷却能力劣化状態にあるか判定する。ここで、その判定は、実測した発熱部品の温度が推定温度よりも所定の閾値温度以上高温であったときに冷却能力劣化状態にあると判定するものであり、正確な判定が行われる。
【００２３】
ここで、本発明の機器において、上記記憶部が、所定の環境温度下における、発熱部品の稼働率と発熱部品の温度との関係を記憶しておくものであり、上記温度推定部が、記憶部に記憶された関係を温度センサで測定された基準点の実測温度に基づいて補正し、補正後の関係に基づいて、発熱部品の現在の稼働率に対する発熱部品の推定温度を求めるものであることが好ましい。
【００２４】
このように構成すると、所定の（１つの）環境温度下における発熱部品の稼働率と発熱部品の温度との関係を記憶しておくだけで済み、記憶容量の節約となる。
【００２５】
ただし、上記記憶部に記憶容量の余裕があるときは、様々な環境温度下における発熱部品の稼働率と発熱部品の温度との関係を記憶しておき、基準点の測定温度に対応する関係を参照することで、上記の補正なしに、発熱部品の推定温度を求めるようにしてもよい。
【００２６】
尚、上記の本発明は、プログラムを実行するＣＰＵが内蔵されたコンピュータであって、そのＣＰＵを発熱部品とするものであってもよい。
【００２７】
また、本発明の機器は、画像を表示する表示画面を備え、上記警告部は、その表示画面上に警告を表わす画像を表示するものであってもよい。
【００２８】
また、上記目的を達成するために、上記した本発明の特徴ある構成をもつ冷却機能監視装置としてもよい。
【００２９】
また、上記目的を達成する本発明のファン劣化モニタリングプログラムは、稼動に伴って発熱する発熱部品と、気流を生じさせて該発熱部品を空冷するファンとを備えプログラムを実行する機器内で実行されるファン劣化モニタリングプログラムであって、上記機器を、
記憶部に記憶された、上記ファンが正常状態にあるときの、発熱部品の稼働率と発熱部品の温度との関係を用い、
記憶部に記憶された上記関係と発熱部品から離れた基準点の実測温度とに基づいて、発熱部品の現在の稼働率に対応する発熱部品の推定温度を求める温度推定部と、
前記発熱部品の実測温度と温度推定部で求められた推定温度とに基づき冷却能力劣化状態にあるか否かを判定する判定部と、
判定部での冷却能力劣化状態にある旨の判定を受けてユーザに向けて警告する警告部とを備えた機器として動作させることを特徴とする。ここで、その判定は、実測した発熱部品の温度が推定温度よりも所定の閾値温度以上高温であったときに冷却能力劣化状態にあると判定するものであり、正確な判定が行われる。
【００３０】
また、上記本発明のファン劣化モニタリングプログラムにおいて、
上記記憶部が、所定の環境温度下における、発熱部品の稼働率と発熱部品の温度との関係を記憶しておくものであり、
上記温度推定部が、記憶部に記憶された関係を温度センサで測定された基準点の実測温度に基づいて補正し、補正後の関係に基づいて、発熱部品の現在の稼働率に対する発熱部品の推定温度を求めるものであることが好ましい。
【００３１】
あるいは、上記の本発明の機器の場合と同様、記憶容量に余裕があるときは、様々な環境温度下における発熱部品の稼働率と発熱部品の温度との関係を記憶しておき、基準点の測定温度に対応する関係を参照することで、上記の補正なしに、発熱部品の推定温度を求めるようにしてもよい。
【００３２】
また、上記目的を達成するために、上記した本発明の特徴ある構成をもつ冷却機能監視装置として機能させるファン劣化モニタリングプログラムとしてもよい。
【発明の効果】
【００３３】
以上の本発明によれば、ファンの空冷能力の劣化を正確に検出することができる。特に、温度により稼働率が変化する発熱部品を用いる機器について、その劣化検出が正確なものとなる。
【発明を実施するための最良の形態】
【００３４】
以下、本発明の実施形態について説明する。
【００３５】
図３は、本発明の機器の一実施形態であるノート型パーソナルコンピュータ（以下、「ノートパソコン」と略記する）の外観斜視図である。
【００３６】
このノートパソコン１０は、本体ユニット２０と表示ユニット３０とを備えており、これら本体ユニット２０と表示ユニット３０は、表示ユニット３０が本体ユニット２０に対し矢印Ａ−Ａ方向に開閉自在となるように連結部４０で連結されている。この図１には、表示ユニット３０が本体ユニット２０に対し開いた状態にあるノートパソコンが示されている。
【００３７】
本体ユニット２０には、その上面に、キーボード２１、トラックパッド２２、左クリックボタン２３、右クリックボタン２４、および、表示ユニット３０を閉じたときにその表示ユニット３０を係止する係止ユニット２５が備えられている。また、この本体ユニット２０の側面には、ＣＤやＤＶＤ等の光ディスクを搭載してアクセスする光ディスクドライブの側面２６、およびＭＯを搭載してアクセスするＭＯドライブの開閉蓋２７が外面に表われている。
【００３８】
また、このノートパソコン１０の表示ユニット３０は、その前面に大きな表示画面３１が広がっており、さらにその表示画面３１よりも上には、この表示ユニット３０を閉じたときに本体ユニット２０の係止ユニット２５に係止する留め具ユニット３２が備えられている。
【００３９】
図４は、図３に外観を示したノートパソコンのハードウェア構成図である。
【００４０】
図４のハードウェア構成図には、ハードディスクコントローラ１１１、ＭＯドライブ１１２、光ディスクドライブ１１３、トラックパッドコントローラ１１４、キーボードコントローラ１１５、ディスプレイコントローラ１１６、通信用ボード１１７、ＣＰＵ１１８、メモリ１１９、温度検出ユニット１２０、およびファン制御ユニット１２１が示されており、それらはバス１１０で相互に接続されている。
【００４１】
ハードディスクコントローラ１１１は、このノートパソコン１０に内蔵されたハードディスク５１のアクセスを担う構成要素であり、このハードディスク５１には、このノートパソコン１０内で実行されるＯＳ（オペレーティングシステム）や各種のアプリケーションプログラムが格納されている。このハードディスク５１内には、それらのプログラムのうちの１つである、図７を参照して後述するファン劣化モニタリングプログラムも格納されている。
【００４２】
ＭＯドライブ１１２は、図１に示す開閉蓋２７から装填されたＭＯ５２をアクセスする役割を担っており、また、光ディスクドライブ１１３は、装填された光ディスク５３をアクセスする役割を担っている。
【００４３】
また、トラックパッドコントローラ１１４、キーボードコントローラ１１５、およびディスプレイコントローラ１１６は、それぞれ、トラックパッド２２（左クリックボタン２３および右クリックボタン２４を含む）の操作の検出、キーボード２１の操作の検出、および表示画面３１への画面表示制御を担っている。
【００４４】
更に、ＣＰＵ１１８は、ハードディスク５１に格納されていたプログラムが読み出されてメモリ１１９上に展開され、そのメモリ１１９上に展開されたプログラムを実行する役割を担っている。このＣＰＵ１１８は、動作時にかなり大きな発熱を伴う回路部品である。
【００４５】
また、メモリ１１９は、上記のようにプログラムが展開されるとともに、ＣＰＵ１１８でのプログラムの実行時の各種データが格納される。
【００４６】
温度検出ユニット１２０は、本体ユニットに内蔵された温度センサ４１による温度検出を担っており、ファン制御ユニット１２１は本体ユニットに設置されたファン４２の回転制御を担っている。
【００４７】
図５は、本体ユニット２０内の部品の概略配置図である。尚、ここでは、以下の説明に必要な部品のみを示している。
【００４８】
この図５には、本体ユニットに内蔵された部品のうちの、ＣＰＵ１１８、メモリ１１９、チップセット１３０、ファン４２、および温度センサ４１が示されている。ここで、チップセット１３０は、図４に示すトラックパッドコントローラ１１４、キーボードコントローラ１１５、およびディスクコントローラ１１６等を集合した回路部品である。
【００４９】
本体ユニット２０内の発熱部品の主なものとして、ＣＰＵ１１８、メモリ１１９、およびチップセット１３０が挙げられる。ここでは、ＣＰＵ１１８の発熱量が最大であり、動作保証温度との関係で冷却を最も必要としているため、ファン４２はＣＰＵ１１８を中心に冷却する位置に配置されている。
【００５０】
温度センサ４１は、ＣＰＵ１１８からは離れた位置に置かれており、その配置場所（本発明にいう基準点の一例）の温度を測定するとともにＣＰＵ１１８の温度もリモートで測定する機能を有する。
【００５１】
図４に示すハードディスク５１には、ファン４２が正常状態にあるときの、ＣＰＵ１１８の稼働率とそのＣＰＵ１１８の温度との関係があらかじめ格納されており、後述する図７に示すファン劣化モニタリングプログラムの実行にあたってはその関係がメモリ１１９上に読み出されて参照される。このファン劣化モニタリングプログラムが冷却機能を監視する制御部としてノートパソコン１０を機能させる。
【００５２】
図６は、ＣＰＵ１１８の稼働率と温度との関係を示したグラフである。
【００５３】
この図６に示すグラフｆ（α）は、環境温度（ノートパソコン１０の外部の温度）が２５℃にあるときの、ＣＰＵ稼働率αに対するＣＰＵの温度ｔ25を示したグラフである。
【００５４】
このグラフｆ（α）は、ノートパソコン１台１台について測定するものではなく、典型的な１台もしくは数台について測定し、その平均的な測定結果のグラフが同種のノートパソコンの全てに記憶される。尚、この図６に示す多数のドットは測定時のデータを示したものであり、ノートパソコンにはグラフｆ（α）のみ記憶される。
【００５５】
図７は、ファン劣化モニタリングプログラムを表わすフローチャートである。
【００５６】
ここでは、先ず、温度センサ４１による温度測定が行われる（ステップＳ１）。ここでは、その温度センサ４１が配置された場所の温度ＬとＣＰＵ１１８の温度ｔｒｅｍｏｔｅとの双方について温度測定が行われる。
【００５７】
次にＣＰＵ１１８の温度推定が行われる（ステップＳ２）。
この温度推定のステップＳ２では、下記の（１）式、
Ｆ（α）＝ｆ（α）＋（Ｌ−Ｃ２５）  …（１）
によってＣＰＵの推定温度Ｆ（α）が求められる。
【００５８】
ここで、ｆ（α）は、図６に示すグラフのうちのＣＰＵの現在の稼働率αに対する値であり、ＬはステップＳ１で測定された、温度センサ４１の配置場所の温度である。また、図６に示すグラフｆ（α）は、ノートパソコン１０の外部の環境温度が２５℃のときのＣＰＵ１１８の温度であり、温度センサ４１はノートパソコン１０の内部であってその温度センサ４１の配置場所の温度は環境温度２５℃とは異なるため、環境温度２５℃と温度センサ４１の配置場所の温度との差異に起因するＣＰＵの推定温度の誤差を補正するために、（１）式に補正値Ｃ２５を導入している。
【００５９】
図７のステップＳ３では、ＣＰＵの実測温度ｔｒｅｍｏｔｅとＣＰＵの推定温度Ｆ（α）との差分
ｔｒｅｍｏｔｅ−Ｆ（α）
が求められ、その差分が閾値温度Ｔｏを越えているか否かが判定される。その差分が閾値温度Ｔｏを越えていないときは、未だ冷却能力劣化状態にはないと判定されてステップＳ１に戻り、再度、温度測定が行われるとともに、ＣＰＵの新たな稼働率に基づく温度推定が行われる。
【００６０】
尚、ＣＰＵの稼働率αとしては、瞬時瞬時の稼働率ではなく、温度が変化する時間と同レベルの時間の稼動平均値が採用されている。
【００６１】
一方、ステップＳ３で、差分（ｔｒｅｍｏｔｅ−Ｆ（α））が閾値温度Ｔｏを越えている冷却能力劣化状態にあると判定されたときは、スラップＳ４に進み、図１に示すノートパソコン１０の表示画面３１上にファンの冷却能力が劣化している旨、警告が表示される。
【００６２】
この警告表示を確認したユーザは、ファンの周りに付着した塵埃を除去する清掃を行ない、これにより冷却能力の劣化の解消が期待される。
【００６３】
上記の実施形態によれば、ファンの冷却能力劣化が高精度に判定され、ユーザに向けて適切な情報を提供することができる。
【００６４】
尚、上記の実施形態では、環境温度が２５℃のときのＣＰＵの稼動率αとＣＰＵの温度との関係のみを記憶しておき、その関係を用いて温度推定が行われたが、複数の環境温度に対応した、ＣＰＵの稼働率とＣＰＵの温度との関係であって、補正値Ｃ２５による補正後の関係を記憶しておき、上述の（１）式の演算で行うことなく、温度センサ４１の配置場所の実測温度とＣＰＵの稼働率αとから直接に推定温度を求めてもよい。
【００６５】
また、上記の実施形態は、ＣＰＵを本発明にいう発熱部品とするものであるが、配置場所や使用方法等によって、ＣＰＵ１１８ではなく、メモリ１１９やチップセット１３０の方がより強く冷却する必要があるときは、メモリ１１９あるいはチップセット１３０を本発明にいう発熱部品として上記と同様の処理を行ってもよい。
【００６６】
さらに、本発明はノートパソコンに限らず、デスクトップ型のパーソナルコンピュータや、その他一般の機器に広く採用することができる。
【図面の簡単な説明】
【００６７】
【図１】ＣＰＵの温度とファンの回転数との関係を示した図である。
【図２】ＣＰＵのスロットリングを表わした図である。
【図３】本発明の機器の一実施形態であるノートパソコンの外観斜視図である。
【図４】図３に外観を示したノートパソコンのハードウェア構成図である。
【図５】本体ユニット内の部品の概略配置図である。
【図６】ＣＰＵの稼働率と温度との関係を示したグラフである。
【図７】ファン劣化モニタリングプログラムを表わすフローチャートである。
【符号の説明】
【００６８】
１０    ノートパソコン
２０    本体ユニット
３０    表示ユニット
４１    温度センサ
４２    ファン
１１８    ＣＰＵ
１１９    メモリ
１２０    温度検出ユニット
１２１    ファン制御ユニット
１３０    チップセット
【図１】
2007249719.tif 000003
【図２】
2007249719.tif 000004
【図３】
2007249719.tif 000005
【図４】
2007249719.tif 000006
【図５】
2007249719.tif 000007
【図６】
2007249719.tif 000008
【図７】
2007249719.tif 000009